(57)【要約】【課題】間欠受信制御が適用されている場合に、周辺セルの測定及びハンドオーバを適切に行う。【解決手段】本発明に係る移動局ＵＥは、無線基地局ｅＮＢから、サービングセル及び周辺セルにおける無線品質を測定する測定部１３と、測定結果を通知すべきか否かについて判定する判定部１４とを具備し、移動局ＵＥが、間欠受信状態である場合に、判定部１４は、測定されたサービングセル及び周辺セルにおける無線品質及び間欠受信状態用パラメータに基づいて測定結果を通知すべきか否かについて判定し、移動局ＵＥが、間欠受信状態でない場合に、判定部１４は、測定されたサービングセル及び周辺セルにおける無線品質及び非間欠受信状態用パラメータに基づいて測定結果を通知すべきか否かについて判定する。【選択図】図４
2010045452.tif 000002
【特許請求の範囲】
【請求項１】
無線基地局と通信する移動局であって、
前記無線基地局から、間欠受信状態用パラメータ及び非間欠受信状態用パラメータを取得するように構成されているパラメータ取得部と、
前記移動局のサービングセル及び周辺セルにおける無線品質を測定するように構成されている測定部と、
前記測定結果を通知すべきか否かについて判定するように構成されている判定部と、
前記判定部によって前記測定結果を送信すべきであると判定された場合、該測定結果を前記無線基地局に対して通知するように構成されている通知部とを具備し、
前記移動局が、間欠受信状態である場合に、前記判定部は、前記測定部によって測定された前記サービングセル及び周辺セルにおける無線品質、及び、前記パラメータ取得部によって取得された前記間欠受信状態用パラメータに基づいて、前記測定結果を通知すべきか否かについて判定するように構成されており、
前記移動局が、間欠受信状態でない場合に、前記判定部は、前記測定部によって測定された前記サービングセル及び周辺セルにおける無線品質、及び、前記パラメータ取得部によって取得された前記非間欠受信状態用パラメータに基づいて、前記測定結果を通知すべきか否かについて判定するように構成されていることを特徴とする移動局。
【請求項２】
前記判定部は、所定期間以上継続して所定条件が満たされている場合に、前記測定結果を通知すべきであると判定するように構成されており、
前記間欠受信状態用パラメータ及び前記非間欠受信状態用パラメータには、前記所定期間を示す第１パラメータが含まれていることを特徴とする請求項１に記載の移動局。
【請求項３】
前記判定部は、所定期間以上継続して所定条件が満たされている場合に、前記測定結果を通知すべきであると判定するように構成されており、
前記間欠受信状態用パラメータ及び前記非間欠受信状態用パラメータには、前記所定条件を規定する第２パラメータが含まれていることを特徴とする請求項１に記載の移動局。
【請求項４】
移動局と通信する無線基地局であって、
前記移動局に対して、間欠受信状態用パラメータ及び非間欠受信状態用パラメータを通知するように構成されているパラメータ通知部と、
前記移動局によって通知された該移動局のサービングセル及び周辺セルにおける無線品質の測定結果に基づいて、該移動局がハンドオーバすべきであるか否かについて判定するように構成されている判定部とを具備し、
前記移動局のサービングセル及び周辺セルにおける無線品質は、前記移動局が、間欠受信状態である場合に、前記サービングセル及び周辺セルにおける無線品質、及び、前記間欠受信状態用パラメータに基づいて測定されるように構成されており、
前記移動局のサービングセル及び周辺セルにおける無線品質は、前記移動局が、間欠受信状態でない場合に、前記サービングセル及び周辺セルにおける無線品質、及び、前記非間欠受信状態用パラメータに基づいて測定されるように構成されていることを特徴とする無線基地局。
【請求項５】
前記移動局において、所定期間以上継続して所定条件が満たされている場合に、前記測定結果は、通知されるべきであると判定するように構成されており、
前記間欠受信状態用パラメータ及び前記非間欠受信状態用パラメータには、前記所定期間を示す第１パラメータが含まれていることを特徴とする請求項４に記載の無線基地局。
【請求項６】
前記移動局において、所定期間以上継続して所定条件が満たされている場合に、前記測定結果は、通知されるべきであると判定するように構成されており、
前記間欠受信状態用パラメータ及び前記非間欠受信状態用パラメータには、前記所定条件を規定する第２パラメータが含まれていることを特徴とする請求項４に記載の無線基地局。
【請求項７】
無線基地局と移動局との間で通信する移動通信方法であって、
前記無線基地局が、前記移動局に対して、間欠受信状態用パラメータ及び非間欠受信状態用パラメータを通知する工程Ａと、
前記移動局が、該移動局のサービングセル及び周辺セルにおける無線品質を測定する工程Ｂと、
前記移動局が、前記測定結果を通知すべきか否かについて判定する工程Ｃと、
前記移動局が、前記測定結果を送信すべきであると判定された場合、該測定結果を前記無線基地局に対して通知する工程Ｄと、
前記無線基地局が、前記移動局によって通知された該移動局のサービングセル及び周辺セルにおける無線品質の測定結果に基づいて、該移動局がハンドオーバすべきであるか否かについて判定する工程Ｅとを有し、
前記工程Ｃにおいて、前記移動局が、間欠受信状態である場合に、測定された前記サービングセル及び周辺セルにおける無線品質、及び、取得された前記間欠受信状態用パラメータに基づいて、前記測定結果を通知すべきか否かについて判定し、
前記工程Ｃにおいて、前記移動局が、間欠受信状態でない場合に、測定された前記サービングセル及び周辺セルにおける無線品質、及び、取得された前記非間欠受信状態用パラメータに基づいて、前記測定結果を通知すべきか否かについて判定することを特徴とする移動通信方法。
【発明の詳細な説明】
【技術分野】
【０００１】
本発明は、移動局、無線基地局及び移動通信方法に関する。
【背景技術】
【０００２】
複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００３】
一般的に、移動通信システムでは、移動局ＵＥが、隣接セルに移動し、かかる移動局ＵＥにおいて、隣接セルからの信号の受信電力が、サービングセル（Ｓｅｒｖｉｎｇ  Ｃｅｌｌ）からの信号の受信電力よりも強くなった場合に、当該移動局ＵＥは、隣接セルにハンドオーバを行うように構成されている。
【０００４】
なお、上述の隣接セルからの信号の受信電力又はサービングセルからの信号の受信電力は、例えば、隣接セル又はサービングセルから送信される下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非非特許文献２を参照のこと）。
【０００５】
図５及び図６を参照して、かかるハンドオーバ手順の一例について、具体的に説明する。
【０００６】
図５に示すように、ステップＳ１において、移動局ＵＥは、隣接セルからの信号の受信電力を測定する。
【０００７】
ステップＳ２において、移動局ＵＥは、隣接セルからの信号の受信電力が、以下の（式１）を満たすか否かについて判定する。
【０００８】
隣接セルからの信号の受信電力  ＋  ヒステリシス  ＞  サービングセルからの信号の受信電力  …  （式１）
【０００９】
かかる（式１）が満たされていると判定された場合、ステップＳ２において、移動局ＵＥは、上述の測定結果を報告するためのイベントＡ３を、ネットワークに対して通知する。
【００１０】
具体的には、移動局ＵＥは、図６に示すように、サービングセル（セルＡ）及び監視対象である周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００１１】
つまり、図６において、所定期間「ＴＴＴ」以上、セルＢからの信号の受信電力（無線品質）が、「ヒステリシス」以上、セルＡからの信号の受信電力（無線品質）よりも上回っている状態が継続している場合、移動局ＵＥは、上述の測定結果（Ｍｅａｓｕｒｅｍｅｎｔ  Ｒｅｐｏｒｔ）を通知するべきであると判定する。
【００１２】
ここで、信号の受信電力（無線品質）Ｆｎとしては、以下の（式２）及び（式３）によって算出された値が用いられるものとする。具体的には、移動局ＵＥにおいて、上位レイヤが、物理レイヤによる測定値に対して、（式２）に示すフィルタリング処理（Ｌ３  Ｆｉｌｔｅｒｉｎｇ）を行うように構成されている。
【００１３】
Ｆｎ  ＝  （１−ａ）・Ｆｎ−１  ＋  ａ・Ｍｎ  …  （式２）
【００１４】
ａ  ＝  １／２（ｋ/４）  …  （式３）
【００１５】
なお、（式３）における「ｋ」の値は、「ヒステリシス」や「ＴＴＴ」と同様に、無線基地局から移動局ＵＥに対して事前に通知されているものとする。また、「ヒステリシス」は、セル境界でサービングセルから隣接セルへのハンドオーバが頻繁に生じないために設けられる値であり、正の値でもよく、負の値でもよい。
【００１６】
また、ステップＳ３において、ネットワークは、イベントＡ３の通知を受信すると、かかる移動局ＵＥが、受信したイベントＡ３に係るセルに対してハンドオーバすべきであることを決定する。
【００１７】
また、ＬＴＥ（Ｌｏｎｇ  Ｔｅｒｍ  Ｅｖｏｌｕｔｉｏｎ）方式の移動通信システムでは、間欠受信（ＤＲＸ：Ｄｉｓｃｏｎｔｉｎｕｏｕｓ  Ｒｅｃｅｐｔｉｏｎ）制御が適用されている。
【００１８】
かかる間欠受信制御は、無線基地局ｅＮＢと移動局ＵＥとが接続中であり、かつ、通信すべきデータが存在しない場合に適用され、間欠受信状態にある移動局ＵＥは、周期的に、すなわち、間欠的に、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される下り制御信号を受信するように構成されている。
【００１９】
かかる場合、移動局ＵＥは、全てのタイミングではなく、間欠的に、物理下りリンク制御チャネルＰＤＣＣＨを介して送信される下り制御信号を受信すればよいため、バッテリーの消費電力を低減することが可能となる。
【００２０】
より具体的には、移動局ＵＥは、図７に示すように、ＤＲＸ周期（図７の例では、１２８０ｍｓ）毎に設定される受信区間（図７の例では、５ｍｓ）においてのみ、物理下りリンク制御チャネルＰＤＣＣＨを介して送信される下り制御信号を受信し、それ以外の送受信機をＯＦＦとするように構成されている。その結果、移動局ＵＥにおいて、バッテリーの消費電力を低減することが可能となる。
【００２１】
なお、上述したように、ＬＴＥ方式の移動通信システムでは、通信すべきデータが存在するか否かに基づいて、各移動局ＵＥの状態を、間欠受信状態とすべきか或いは非間欠受信状態とすべきかについて制御するため、各移動局ＵＥが間欠受信状態であるか否かに関わらず、上述したハンドオーバは行われるように構成されている。
【非特許文献１】３ＧＰＰ  ＴＳ３６.３００  Ｖ８.５.０
【非特許文献２】３ＧＰＰ  ＴＳ３６.２１４、Ｖ８.３.０
【発明の開示】
【発明が解決しようとする課題】
【００２２】
上述したように、ＬＴＥ方式の移動通信システムにおいては、無線基地局ｅＮＢと移動局ＵＥとが接続中である場合に、間欠受信制御が適用される。すなわち、各移動局ＵＥの状態として、通信すべきデータの有無に応じて、間欠受信状態及び非間欠受信状態の２種類の状態が存在する。
【００２３】
ここで、間欠受信状態である移動局ＵＥは、間欠受信制御によるバッテリーセービング効果を維持するため、一般に、間欠受信制御における受信区間においてのみ、周辺セルの測定を行うように構成されている。
【００２４】
例えば、非間欠受信状態の移動局ＵＥが、２００ｍｓごとに周辺セルの測定を行うように構成されている場合、最適な「ＴＴＴ」の値は、「６４０ｍｓ」であるものとする。
【００２５】
しかしながら、「ＤＲＸ周期」として「１２８０ｍｓ」が設定されている場合には、間欠受信状態の移動局ＵＥは、１２８０ｍｓごとに周辺セルの測定を行うように構成されているため、上述の「６４０ｍｓ」という「ＴＴＴ」の値は意味を持たない値となる。
【００２６】
そこで、本発明は、上述の課題に鑑みてなされたものであり、間欠受信制御が適用されている場合に、周辺セルの測定及びハンドオーバを適切に行うことを可能とする移動局、無線基地局及び移動通信方法を提供することを目的とする。
【課題を解決するための手段】
【００２７】
本発明の第１の特徴は、無線基地局と通信する移動局であって、前記無線基地局から、間欠受信状態用パラメータ及び非間欠受信状態用パラメータを取得するように構成されているパラメータ取得部と、前記移動局のサービングセル及び周辺セルにおける無線品質を測定するように構成されている測定部と、前記測定結果を通知すべきか否かについて判定するように構成されている判定部と、前記判定部によって前記測定結果を送信すべきであると判定された場合、該測定結果を前記無線基地局に対して通知するように構成されている通知部とを具備し、前記移動局が、間欠受信状態である場合に、前記判定部は、前記測定部によって測定された前記サービングセル及び周辺セルにおける無線品質、及び、前記パラメータ取得部によって取得された前記間欠受信状態用パラメータに基づいて、前記測定結果を通知すべきか否かについて判定するように構成されており、前記移動局が、間欠受信状態でない場合に、前記判定部は、前記測定部によって測定された前記サービングセル及び周辺セルにおける無線品質、及び、前記パラメータ取得部によって取得された前記非間欠受信状態用パラメータに基づいて、前記測定結果を通知すべきか否かについて判定するように構成されていることを要旨とする。
【００２８】
本発明の第２の特徴は、移動局と通信する無線基地局であって、前記移動局に対して、間欠受信状態用パラメータ及び非間欠受信状態用パラメータを通知するように構成されているパラメータ通知部と、前記移動局によって通知された該移動局のサービングセル及び周辺セルにおける無線品質の測定結果に基づいて、該移動局がハンドオーバすべきであるか否かについて判定するように構成されている判定部とを具備し、前記移動局のサービングセル及び周辺セルにおける無線品質は、前記移動局が、間欠受信状態である場合に、前記サービングセル及び周辺セルにおける無線品質、及び、前記間欠受信状態用パラメータに基づいて測定されるように構成されており、前記移動局のサービングセル及び周辺セルにおける無線品質は、前記移動局が、間欠受信状態でない場合に、前記サービングセル及び周辺セルにおける無線品質、及び、前記非間欠受信状態用パラメータに基づいて測定されるように構成されていることを要旨とする。
【００２９】
本発明の第３の特徴は、無線基地局と移動局との間で通信する移動通信方法であって、前記無線基地局が、前記移動局に対して、間欠受信状態用パラメータ及び非間欠受信状態用パラメータを通知する工程Ａと、前記移動局が、該移動局のサービングセル及び周辺セルにおける無線品質を測定する工程Ｂと、前記移動局が、前記測定結果を通知すべきか否かについて判定する工程Ｃと、前記移動局が、前記測定結果を送信すべきであると判定された場合、該測定結果を前記無線基地局に対して通知する工程Ｄと、前記無線基地局が、前記移動局によって通知された該移動局のサービングセル及び周辺セルにおける無線品質の測定結果に基づいて、該移動局がハンドオーバすべきであるか否かについて判定する工程Ｅとを有し、前記工程Ｃにおいて、前記移動局が、間欠受信状態である場合に、測定された前記サービングセル及び周辺セルにおける無線品質、及び、取得された前記間欠受信状態用パラメータに基づいて、前記測定結果を通知すべきか否かについて判定し、前記工程Ｃにおいて、前記移動局が、間欠受信状態でない場合に、測定された前記サービングセル及び周辺セルにおける無線品質、及び、取得された前記非間欠受信状態用パラメータに基づいて、前記測定結果を通知すべきか否かについて判定することを要旨とする。
【発明の効果】
【００３０】
以上説明したように、本発明によれば、間欠受信制御が適用されている場合に、周辺セルの測定及びハンドオーバを適切に行うことを可能とする移動局、無線基地局及び移動通信方法を提供することができる。
【発明を実施するための最良の形態】
【００３１】
（本発明の第１の実施形態に係る移動通信システムの構成）
図１乃至図３を参照して、本発明の第１の実施形態に係る移動通信システムの構成について説明する。
【００３２】
図１に示すように、本実施形態に係る移動通信システムは、ＬＴＥ方式の移動通信システムである。かかる移動通信システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００３３】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００３４】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００３５】
また、本実施形態に係る移動通信システムでは、無線基地局ｅＮＢが、物理下り制御チャネルＰＤＣＣＨを介して下り制御信号を送信し、物理下り共有データチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００３６】
一方、本実施形態に係る移動通信システムでは、移動局ＵＥは、物理上り共有データチャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００３７】
図２に示すように、移動局ＵＥは、状態管理部１１と、パラメータ取得部１２と、測定部１３と、判定部１４と、通知部１５とを具備している。
【００３８】
状態管理部１１は、移動局ＵＥが間欠受信状態であるか否かについて管理するように構成されている。
【００３９】
パラメータ取得部１２は、無線基地局ｅＮＢから、間欠受信状態用パラメータ及び非間欠受信状態用パラメータを取得するように構成されている。
【００４０】
測定部１３は、移動局ＵＥのサービングセル及び周辺セルにおける無線品質を測定するように構成されている。
【００４１】
例えば、測定部１３は、移動局ＵＥのサービングセル及び周辺セルにおける無線品質として、移動局ＵＥのサービングセル及び周辺セルからの信号（例えば、参照信号（ＲＳ：Ｒｅｆｅｒｅｎｃｅ  Ｓｉｇｎａｌ）等）の受信電力を測定するように構成されていてもよい。なお、かかる参照信号の受信電力は、「ＲＳＲＰ（Ｒｅｆｅｒｅｎｃｅ  Ｓｉｇｎａｌ  Ｒｅｃｅｉｖｅｄ  Ｐｏｗｅｒ）」と呼ばれてもよい。
【００４２】
また、測定部１３は、上述の（式２）及び（式３）によって算出された値を、移動局ＵＥのサービングセル及び周辺セルからの信号の受信電力Ｆｎの測定値としてもよい。例えば、物理レイヤにおける測定間隔は、２００ｍｓである。
【００４３】
判定部１４は、上述の測定部１３による測定結果（Ｍｅａｓｕｒｅｍｅｎｔ  Ｒｅｐｏｒｔ）を通知すべきか否かについて判定するように構成されている。
【００４４】
例えば、判定部１４は、所定期間以上継続して所定条件が満たされている場合に、上述の測定結果を通知すべきであると判定するように構成されていてもよい。ここで、判定部１４は、かかる所定条件を、上述の（式１）の条件としてもよい。
【００４５】
なお、かかる間欠受信状態用パラメータ及び非間欠受信状態用パラメータには、上述の所定期間を示す第１パラメータ（「ＴＴＴ」）や、上述の所定条件を規定する第２パラメータ（「ヒステリシス」や「ｋ（フィルタ係数）」）等が含まれている。
【００４６】
ここで、間欠受信状態用パラメータ（「ＴＴＴ」や「ヒステリシス」や「ｋ（フィルタ係数）」）及び非間欠受信状態用パラメータ（「ＴＴＴ」や「ヒステリシス」や「ｋ（フィルタ係数）」）の一例を示す。
【００４７】
【表１】
2010045452.tif 000003
【００４８】
かかる例からも分かるように、本実施形態に係る移動通信システムでは、間欠受信状態用パラメータの値及び非間欠受信状態用パラメータの値が異なるように構成されている。
【００４９】
例えば、間欠受信状態用パラメータにおける第１パラメータの値（２５６０［ｍｓ］）は、非間欠受信状態用パラメータにおける第１パラメータの値（６４０［ｍｓ］）及びＤＲＸ周期（１２８０［ｍｓ］）よりも長くなるように構成されていてもよい。
【００５０】
以下に、間欠受信状態用パラメータにおける第１パラメータの値（２５６０［ｍｓ］）を、非間欠受信状態用パラメータにおける第１パラメータの値（６４０［ｍｓ］）及びＤＲＸ周期（１２８０［ｍｓ］）よりも長くすることの効果について説明する。
【００５１】
間欠受信状態においては、非間欠受信状態に比べて、測定頻度が少なくなるため、その分、判定に必要な十分なサンプル数を得るために、判定のための時間を長くする必要がある。
【００５２】
よって、上述したように、間欠受信状態用パラメータにおける第１パラメータの値（２５６０［ｍｓ］）を、非間欠受信状態用パラメータにおける第１パラメータの値（６４０［ｍｓ］）及びＤＲＸ周期（１２８０［ｍｓ］）よりも長くすることにより、間欠受信状態において、適切に判定を行うことが可能となる。
【００５３】
なお、間欠受信状態用パラメータにおける第２パラメータの値は、非間欠受信状態用パラメータにおける第２パラメータの値よりも小さくなるように構成されていてもよい。
【００５４】
すなわち、間欠受信状態用パラメータにおけるヒステリシスの値は、非間欠受信状態用パラメータにおけるヒステリシスの値よりも小さくなるように構成されていてもよい。或いは、間欠受信状態用パラメータにおけるフィルタ係数の値は、非間欠受信状態用パラメータにおけるフィルタ係数の値よりも小さくなるように構成されていてもよい。
【００５５】
なお、上述した間欠受信状態用パラメータにおける第１パラメータ及び非間欠受信状態用パラメータにおける第１パラメータの大小関係は、一例であり、逆であってもよいし、両者が、同じ値であってもよい。
【００５６】
また、上述した間欠受信状態用パラメータにおける第２パラメータと非間欠受信状態用パラメータにおける第２パラメータの大小関係は、一例であり、逆であってもよいし、両者が、同じ値であってもよい。
【００５７】
例えば、間欠受信状態用パラメータにおけるヒステリシス（３ｄＢ）は、非間欠受信状態用パラメータにおけるヒステリシス（３ｄＢ）と同じ値になるように構成されてもよい。
【００５８】
或いは、間欠受信状態用パラメータにおけるフィルタ係数（４）は、非間欠受信状態用パラメータにおけるヒステリシス（８）よりも小さくなるように構成されてもよい。
【００５９】
間欠受信状態においては、非間欠受信状態に比べて測定頻度が少なくなるため、前記フィルタ係数に基づいた平均化が過剰になる場合がある。この場合、間欠受信状態用パラメータにおけるフィルタ係数（４）を、非間欠受信状態用パラメータにおけるヒステリシス（８）よりも小さくすることにより、１回の測定における平均化の影響を低減することにより、間欠受信状態において、より適切な測定を行うことが可能となる。
【００６０】
ここで、移動局ＵＥが、間欠受信状態である場合に、判定部１４は、測定部１３によって測定されたサービングセル及び周辺セルにおける無線品質、及び、パラメータ取得部１２によって取得された間欠受信状態用パラメータに基づいて、上述の測定結果を通知すべきか否かについて判定するように構成されている。
【００６１】
一方、移動局ＵＥが、間欠受信状態でない場合に、判定部１４は、測定部１３によって測定されたサービングセル及び周辺セルにおける無線品質、及び、パラメータ取得部１２によって取得された非間欠受信状態用パラメータに基づいて、上述の測定結果を通知すべきか否かについて判定するように構成されている。
【００６２】
通知部１５は、判定部１４によって測定結果を送信すべきであると判定された場合、かかる測定結果を無線基地局ｅＮＢに対して通知するように構成されている。
【００６３】
具体的には、通知部１５は、物理上り共有チャネルＰＵＳＣＨを介して、かかる測定結果を無線基地局ｅＮＢに対して通知するように構成されている。かかる測定結果は、「Ｍｅａｓｕｒｅｍｅｎｔ  Ｒｅｐｏｒｔ」と呼ばれてもよい。
【００６４】
図３に示すように、無線基地局ｅＮＢは、パラメータ通知部２１と、判定部２２とを具備している。
【００６５】
パラメータ通知部２１は、移動局ＵＥに対して、上述の間欠受信状態用パラメータ及び非間欠受信状態用パラメータを通知するように構成されている。
【００６６】
具体的には、パラメータ通知部２１は、物理下り共有チャネルＰＤＳＣＨを介して、移動局ＵＥに対して、上述の間欠受信状態用パラメータ及び非間欠受信状態用パラメータを通知するように構成されている。
【００６７】
なお、上述の間欠受信状態用パラメータ及び非間欠受信状態用パラメータは、報知情報として移動局ＵＥに対して通知されてもよいし、個別の制御情報である「ＲＲＣ  Ｍｅｓｓａｇｅ」として、移動局ＵＥに対して通知されてもよい。
【００６８】
判定部２２は、移動局ＵＥによって通知された当該移動局ＵＥのサービングセル及び周辺セルにおける無線品質の測定結果に基づいて、当該移動局ＵＥがハンドオーバすべきであるか否かについて判定するように構成されている。
【００６９】
（本発明の第１の実施形態に係る移動通信システムの動作）
図４を参照して、本発明の第１の実施形態に係る移動通信システムの動作について、具体的には、本発明の第１の実施形態に係る移動局ＵＥが上述の測定結果を通知する動作について説明する。
【００７０】
図４に示すように、ステップＳ１０１において、移動局ＵＥは、間欠受信状態であるか否かについて判定する。
【００７１】
間欠受信状態であると判定された場合、ステップＳ１０２において、移動局ＵＥは、サービングセル及び周辺セルの無線品質を測定する。
【００７２】
ステップＳ１０３において、移動局ＵＥは、間欠受信状態用パラメータ（第１パラメータ及び第２パラメータ）及び測定したサービングセル及び周辺セルの無線品質に基づいて、上述の測定結果について無線基地局ｅＮＢに対して通知すべきか否かについて判定する。
【００７３】
例えば、移動局ＵＥは、「２.５６［ｓ］」の間、継続して、下記（式４）乃至（式６）が満たされていると判定する場合、上述の測定結果について無線基地局ｅＮＢに対して通知すべきであると判定する。
【００７４】
隣接セルからの信号の受信電力Ｆｎ  ＋  ２［ｄＢ］  ＞  サービングセルからの信号の受信電力  …  （式４）
【００７５】
Ｆｎ  ＝  （１−ａ）・Ｆｎ−１  ＋  ａ・Ｍｎ  …  （式５）
【００７６】
ａ  ＝  １／２  …  （式６）
【００７７】
ここで、間欠受信状態用パラメータ（第1パラメータ及び第２パラメータ）の値は、表１に記載されている値であるものとする。
【００７８】
間欠受信状態でないと判定された場合、ステップＳ１０４において、移動局ＵＥは、サービングセル及び周辺セルの無線品質を測定する。
【００７９】
ステップＳ１０５において、移動局ＵＥは、非間欠受信状態用パラメータ（第１パラメータ及び第２パラメータ）及び測定したサービングセル及び周辺セルの無線品質に基づいて、上述の測定結果について無線基地局ｅＮＢに対して通知すべきか否かについて判定する。
【００８０】
例えば、移動局ＵＥは、「０.６４［ｓ］」の間、継続して、下記（式７）乃至（式９）が満たされていると判定する場合、上述の測定結果について無線基地局ｅＮＢに対して通知すべきであると判定する。
【００８１】
隣接セルからの信号の受信電力Ｆｎ  ＋  ３［ｄＢ］  ＞  サービングセルからの信号の受信電力  …  （式７）
【００８２】
Ｆｎ  ＝  （１−ａ）・Ｆｎ−１  ＋  ａ・Ｍｎ  …  （式８）
【００８３】
ａ  ＝  １／２２  …  （式９）
【００８４】
ここで、非間欠受信状態用パラメータ（第1パラメータ及び第２パラメータ）の値は、表１に記載されている値であるものとする。
【００８５】
なお、上述した第１の実施形態においては、間欠受信状態及び非間欠受信状態の２種類の状態が存在したが、代わりに、長間欠受信状態、短間欠受信状態及び非間欠受信状態の３種類の状態が存在する場合にも、本発明に係る移動局、無線基地局及び移動通信方法は適用されることができる。
【００８６】
例えば、長間欠受信状態、短間欠受信状態及び非間欠受信状態の３種類の状態が存在する場合には、前記第１パラメータ及び第２パラメータとして、長間欠受信状態用パラメータ、短間欠受信状態用パラメータ及び非間欠受信状態用パラメータの３種類が定義され、それぞれの状態において、それぞれのパラメータが適用されてもよい。
【００８７】
或いは、長間欠受信状態、短間欠受信状態及び非間欠受信状態の３種類の状態が存在する場合に、間欠受信状態用パラメータ及び非間欠受信状態用パラメータの２種類が定義され、長間欠受信状態及び短間欠受信状態においては、間欠受信状態用パラメータが適用され、非間欠受信状態においては、非間欠受信用パラメータが適用されてもよい。
【００８８】
また、上述した第１の実施形態においては、サービングセル及び周辺セルにおける無線品質として、参照信号の受信電力（ＲＳＲＰ）が用いられたが、代わりに、ＲＳＲＱやＲＳ-ＳＩＲやＣＱＩが用いられてもよい。或いは、サービングセル及び周辺セルにおける無線品質として、ＲＳＲＰやＲＳＲＱやＲＳ-ＳＩＲやＣＱＩの少なくとも１つが用いられてもよい。
【００８９】
なお、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）とは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【００９０】
ここで、ＲＳＳＩとは、移動局において観測されるトータルの受信レベルであり、熱雑音や他セルからの干渉電力や自セルからの希望信号の電力等の全てを含んだ受信レベルのことである（ＲＳＲＱの定義については、３ＧＰＰ  ＴＳ３６.２１４、Ｖ８.３.０を参照のこと）。
【００９１】
また、ＲＳ-ＳＩＲとは、下りリンクの参照信号のＳＩＲ（Ｓｉｇｎａｌ-ｔｏ-Ｉｎｔｅｒｆｅｒｅｎｃｅ  Ｒａｔｉｏ）である。
【００９２】
また、ＣＱＩ（Ｃｈａｎｎｅｌ  Ｑｕａｌｉｔｙ  Ｉｎｄｉｃａｔｏｒ）とは、下りリンクの無線品質情報である（ＣＱＩの定義については、３ＧＰＰ  ＴＳ３６.２１３、Ｖ８.３.０を参照のこと）。
【００９３】
また、上述した第１の実施形態においては、ＴＴＴ、ヒステリシス及びフィルタ係数に関して、間欠受信状態用パラメータ及び非間欠受信状態用パラメータの２種類のパラメータが定義されたが、代わりに、ＴＴＴ、ヒステリシス及びフィルタ係数の一部に関して、間欠受信状態用パラメータ及び非間欠受信状態用パラメータの２種類のパラメータが定義されてもよい。
【００９４】
例えば、ＴＴＴ、ヒステリシス及びフィルタ係数のうち、ＴＴＴ及びフィルタ係数に関してのみ、間欠受信状態用パラメータ及び非間欠受信状態用パラメータの２種類のパラメータが定義されてもよい。
【００９５】
（本発明の第１の実施形態に係る移動通信システムの作用・効果）
本発明の第１の実施形態に係る移動通信システムによれば、ＤＲＸ周期に応じて、間欠受信状態用パラメータ及び非間欠受信状態用パラメータの値を変更することができるため、移動局ＵＥが、適切なタイミングでネットワークに対して測定結果を報告し、通信断を起こすことなく通信を継続することができ、ネットワークにおける負荷や移動局ＵＥの消費電流の抑制、更にはユーザ利便性を向上することができる。
【００９６】
（変更例）
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００９７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１００】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動局の動作を示すフローチャートである。
【図５】一般的なハンドオーバの動作を示すフローチャートである。
【図６】一般的な測定報告の通知方法について説明するための図である。
【図７】一般的な間欠受信状態の移動局の動作を説明するための図である。
【符号の説明】
【０１０１】
ＵＥ…移動局
１１…状態管理部
１２…パラメータ取得部
１３…測定部
１４、２２…判定部
１５…通知部
ｅＮＢ…無線基地局
２１…パラメータ通知部
【図１】
2010045452.tif 000004
【図２】
2010045452.tif 000005
【図３】
2010045452.tif 000006
【図４】
2010045452.tif 000007
【図５】
2010045452.tif 000008
【図６】
2010045452.tif 000009
【図７】
2010045452.tif 000010